(57)【要約】【課題】レベルシフト回路部７にトランス構造がとられた高耐圧ＩＣ３を用いた放電灯点灯装置において、高電圧部８のグランド端子９から高耐圧ＩＣ３へノイズが流入して、制御回路が誤動作することを防止することを目的とする。【解決手段】インバータ回路部２の２つのスイッチング素子Ｑ１，Ｑ２の接続点に接続された高耐圧ＩＣ３の高電圧部８のグランド端子９と、負荷回路部４のインダクタＬ１との間に、高周波の電圧を減衰させるフィルタ部５を設ける。【選択図】図１
2010277705.tif 000002
【特許請求の範囲】
【請求項１】
２つのスイッチング素子を備え、前記２つのスイッチング素子を交互にオンオフすることにより、直流電圧を交流電圧に変換するインバータ回路部と、
前記インバータ回路部の前記２つのスイッチング素子の接続点に接続されたインダクタを有し、放電灯を点灯させる負荷回路部と、
前記２つのスイッチング素子の一方のスイッチング素子のオンオフの制御を所定の電圧で行う低電圧部と、前記２つのスイッチング素子の他方のスイッチング素子のオンオフの制御を前記低電圧部よりも高い電圧で行う高電圧部であって、グランド端子が前記２つのスイッチング素子の接続点に接続された高電圧部と、前記低電圧部と前記高電圧部とを接続するレベルシフト回路部とを有する制御部と、
前記負荷回路部が有する前記インダクタと前記制御部が有する前記高電圧部のグランド端子との間に設けられ、高周波の電圧を減衰させるフィルタ部と
を備えることを特徴とする放電灯点灯装置。
【請求項２】
前記フィルタ部は、フェライトビーズを用いて構成された
ことを特徴とする請求項１に記載の放電灯点灯装置。
【請求項３】
前記フィルタ部は、インダクタとコンデンサとを用いて構成された
ことを特徴とする請求項１に記載の放電灯点灯装置。
【請求項４】
請求項１から３までのいずれかに記載の放電灯点灯装置を備えることを特徴とする照明器具。
【発明の詳細な説明】
【技術分野】
【０００１】
この発明は、例えば、インバータ回路を制御する制御部へノイズが入ることを防止するフィルタを備えた放電灯点灯装置に関する。
【背景技術】
【０００２】
放電灯へ印加する交流電圧を生成するインバータ回路部を低電圧部と高電圧部とを備える高耐圧ＩＣ（Ｉｎｔｅｇｒａｔｅｄ  Ｃｉｒｃｕｉｔ）によって制御する放電灯点灯装置がある。
この放電灯点灯装置における高耐圧ＩＣでは、一般に、制御信号等を生成する制御回路であって、高耐圧ＩＣの基本機能である制御回路が低電圧部に設けられる。そして、低電圧部の制御回路で生成された制御信号が高電圧部へレベルシフト回路部を介して伝達する。
また、放電灯点灯装置では、一般に、インバータ回路部の２つのスイッチング素子の接続点に、高耐圧ＩＣの高電圧部のグランド端子と放電灯とが接続される。
【０００３】
低電圧部と高電圧部とを接続するレベルシフト回路部にＭＯＳ−ＦＥＴ（Ｍｅｔａｌ  Ｏｘｉｄｅ  Ｓｅｍｉｃｏｎｄｕｃｔｏｒ−Ｆｉｅｌｄ  Ｅｆｆｅｃｔ  Ｔｒａｎｓｉｓｔｏｒ）構造がとられた高耐圧ＩＣがある。このレベルシフト回路部では、ＭＯＳ−ＦＥＴの耐圧により低電圧部と高電圧部との耐圧を確保して接合し、低電圧部から高電圧部へ信号を伝達している。
また、さらに耐圧を高くするため、レベルシフト回路部にトランス構造がとられた高耐圧ＩＣがある。このレベルシフト回路部では、トランスの１次と２次との間の耐圧により、低電圧部と高電圧部との耐圧を確保して接合し、かつ低電圧部から高電圧部へ信号を伝達している。
【先行技術文献】
【特許文献】
【０００４】
【特許文献１】特開２００９−０９３８２９号公報
【発明の概要】
【発明が解決しようとする課題】
【０００５】
放電灯点灯装置では、放電灯で高周波のノイズが発生する場合がある。インバータ回路部の２つのスイッチング素子の接続点に、高耐圧ＩＣの高電圧部のグランド端子と放電灯とが接続される放電灯点灯装置では、放電灯で発生したノイズが高電圧部のグランド端子から高耐圧ＩＣへ流入する虞がある。
【０００６】
レベルシフト回路部にＭＯＳ−ＦＥＴ構造がとられた高耐圧ＩＣでは、低電圧部から高電圧部へ信号を伝達するが、高電圧部から低電圧部へは信号は伝達しない。しかし、レベルシフト回路部にトランス構造がとられた高耐圧ＩＣでは、低電圧部から高電圧部へだけでなく、高電圧部から低電圧部へも信号を伝達する可能性がある。
したがって、レベルシフト回路部にＭＯＳ−ＦＥＴ構造がとられた高耐圧ＩＣでは、高電圧部のグランド端子へノイズが流入しても、そのノイズは低電圧部へ伝達されない。そのため、高電圧部のグランド端子へノイズが流入した場合でも、低電圧部に設けられた制御回路は誤動作しない。しかし、レベルシフト回路部にトランス構造がとられた高耐圧ＩＣでは、高電圧部のグランド端子にノイズが流入した場合、そのノイズが低電圧部へ伝達される。低電圧部に設けられた制御回路が誤動作する虞がある。
【０００７】
本発明は、例えば、レベルシフト回路部にトランス構造がとられた高耐圧ＩＣを用いた放電灯点灯装置において、高電圧部のグランド端子から高耐圧ＩＣへノイズが流入して、制御回路が誤動作することを防止することを目的とする。
【課題を解決するための手段】
【０００８】
この発明に係る放電灯点灯装置は、例えば、
２つのスイッチング素子を備え、前記２つのスイッチング素子を交互にオンオフすることにより、直流電圧を交流電圧に変換するインバータ回路部と、
前記インバータ回路部の前記２つのスイッチング素子の接続点に接続されたインダクタを有し、放電灯を点灯させる負荷回路部と、
前記２つのスイッチング素子の一方のスイッチング素子のオンオフの制御を所定の電圧で行う低電圧部と、前記２つのスイッチング素子の他方のスイッチング素子のオンオフの制御を前記低電圧部よりも高い電圧で行う高電圧部であって、グランド端子が前記２つのスイッチング素子の接続点に接続された高電圧部と、前記低電圧部と前記高電圧部とを接続するレベルシフト回路部とを有する制御部と、
前記負荷回路部が有する前記インダクタと前記制御部が有する前記高電圧部のグランド端子との間に設けられ、高周波の電圧を減衰させるフィルタ部と
を備えることを特徴とする。
【発明の効果】
【０００９】
この発明に係る放電灯点灯装置では、負荷回路部が有するインダクタと制御部が有する高電圧部のグランド端子との間に、高周波の電圧を減衰させるフィルタ部が設けられる。そのため、放電灯で高周波のノイズが発生した場合であっても、ノイズが制御部へ流入することがない。
【図面の簡単な説明】
【００１０】
【図１】実施の形態１に係る放電灯点灯装置１０の構成図。
【図２】フィルタ部５に用いるフェライトビーズの特性の一例を示す図。
【発明を実施するための形態】
【００１１】
実施の形態１．
図１は、実施の形態１に係る放電灯点灯装置１０の構成図である。
図１に示すように、放電灯点灯装置１０は、入力フィルタ整流部１、高耐圧ＩＣ３（制御部）、インバータ回路部２、負荷回路部４、フィルタ部５を備える。
【００１２】
入力フィルタ整流部１は、商用電源１１の電圧の整流、ノイズの除去を行う回路である。
【００１３】
インバータ回路部２は、入力フィルタ整流部１で整流、ノイズの除去され、平滑コンデンサＣ０で平滑した直流電圧を、放電灯１２へ印加するための交流電圧に変換する回路である。
インバータ回路部２は、後述する高耐圧ＩＣ３から出力される逆極性の電圧により、スイッチング素子Ｑ１，Ｑ２を交互にオンオフすることにより、直流電圧を交流電圧に変換する。なお、スイッチング素子Ｑ１，Ｑ２は、例えば、ＭＯＳ−ＦＥＴで構成される。
【００１４】
高耐圧ＩＣ３は、低電圧部６、レベルシフト回路部７、高電圧部８を備え、インバータ回路部２の動作を制御する。
低電圧部６は、インバータ回路部２のスイッチング素子Ｑ２をドライブする回路である。つまり、低電圧部６はスイッチング素子Ｑ２のオンオフの制御を行う。また、低電圧部６は、高耐圧ＩＣ３の基本機能である制御回路を構成する。
高電圧部８は、インバータ回路部２のスイッチング素子Ｑ１をドライブする回路である。つまり、高電圧部８はスイッチング素子Ｑ１のオンオフの制御を行う。高電圧部８のグランド端子９は、スイッチング素子Ｑ１とスイッチング素子Ｑ２との接続点に接続される。
レベルシフト回路部７は、低電圧部６と高電圧部８とを接続し、低電圧部６で生成したドライブ信号を高電圧部８へ伝達する回路である。レベルシフト回路部７は、トランス構造により構成される。
【００１５】
負荷回路部４は、インダクタＬ１、コンデンサＣ１、コンデンサＣ２を備え、インダクタＬ１とコンデンサＣ１との共振を利用して放電灯１２を点灯させる。なお、コンデンサＣ２は、結合コンデンサである。
スイッチング素子Ｑ１とスイッチング素子Ｑ２との接続点と放電灯１２とは、インダクタＬ１を介して接続される。
【００１６】
フィルタ部５は、高電圧部８のグランド端子９と負荷回路部４のインダクタＬ１との間に設けられ、放電灯１２で発生した高周波ノイズが高耐圧ＩＣ３へ流入することを防止する。
上述したように、スイッチング素子Ｑ１とスイッチング素子Ｑ２との接続点には、高電圧部８のグランド端子９が接続されるとともに、インダクタＬ１を介して放電灯１２が接続される。そのため、放電灯１２で発生する高周波ノイズが高電圧部８のグランド端子９を介して高耐圧ＩＣ３へ流入する虞がある。特に、レベルシフト回路部７はトランス構造であり、高電圧部８へ流入した高周波ノイズは低電圧部６へ伝達される。そのため、低電圧部６が構成する制御回路が誤動作する虞がある。
そこで、高電圧部８のグランド端子９と負荷回路部４のインダクタＬ１との間にフィルタ部５を設け、放電灯１２で発生する高周波ノイズが高耐圧ＩＣ３へ流入することを防止する。
なお、放電灯１２は、放電開始時、ランプ異常時、ランプ着脱時等に非常に高いエネルギーの高周波ノイズを発生する場合がある。例えば、１ＭＨｚ以上のサージ電圧が発生する場合がある。
一方、インバータ回路部２は、一般的に、直流電圧を５０〜１００ｋＨｚの交流電圧に変換する。
【００１７】
そこで、フィルタ部５は、例えば、１ＭＨｚ以上のサージ電圧（ノイズ）が高耐圧ＩＣ３へ流入することを防止するように、１ＭＨｚ以上の電圧に減衰特性を持つフェライトビーズ等により構成する。
図２は、フィルタ部５に用いるフェライトビーズの特性の一例を示す図である。図２に示すフェライトビーズであれば、１ＭＨｚ以上の電圧に対して減衰特性を有しており、周波数が高くなるほどに減衰効果が高くなる。
【００１８】
実施の形態１に係る放電灯点灯装置１０は、フィルタ部５により、放電灯１２で発生した高周波のサージ電圧を高耐圧ＩＣ３へ流入しない。そのため、高耐圧ＩＣ３のレベルシフト回路部７にトランス構造を用いた場合であっても、放電灯１２で発生した高周波のサージ電圧が低電圧部６へ伝達され制御回路が誤動作することがない。
したがって、実施の形態１に係る放電灯点灯装置１０を備える照明器具は、安定した動作が可能となる。
【００１９】
なお、図１に示す構成では、高電圧部８のグランド端子９と、スイッチング素子Ｑ１とスイッチング素子Ｑ２との接続点との間に、フィルタ部５が設けられている。しかし、上述したように、フィルタ部５は、高電圧部８のグランド端子９とインダクタンスＬ１との間に設けられればよい。
【００２０】
また、上記説明では、フィルタ部５をフェライトビーズにより構成すると説明した。しかし、フィルタ部５は、例えば１ＭＨｚ以上の周波数を減衰させるものであればよく、ＬＣフィルタやＲＣフィルタであってもよい。
【００２１】
また、上記説明では、フィルタ部５は１ＭＨｚ以上の周波数の電圧を減衰させるものとして説明した。しかし、フィルタ部５が減衰させるべき電圧の周波数は、放電灯１２の種類や、配線の仕方、放電灯点灯装置１０を備える照明器具の種類等により変化する。そのため、フィルタ部５は、例えば、放電灯１２の点灯周波数の２倍以上の周波数の電圧を減衰させるものとしてもよい。
【符号の説明】
【００２２】
１  入力フィルタ整流部、２  インバータ回路部、３  高耐圧ＩＣ、４  負荷回路部、５  フィルタ部、６  低電圧部、７  レベルシフト回路部、８  高電圧部、９  グランド端子、１０  放電灯点灯装置、１１  商用電源、１２  放電灯。
【図１】
2010277705.tif 000003
【図２】
2010277705.tif 000004